(57)【特許請求の範囲】
【請求項１】
所定のパケット長を持つ、少なくとも１個のパケットを有するデータストリームを符号化する方法であって、
前記少なくとも１個のパケットのそれぞれのパーティションを、異なる誤り保護率で符号化し、前記それぞれのパーティションのそれぞれの長さが、前記パケット長または前記パケット長の一部にそれぞれの予め定められたパーセンテージを掛けることによって決定される符号化処理、および、
前記異なる誤り保護率で符号化された前記少なくとも１個のパケットのそれぞれのパーティションを持つ前記データストリームを出力する出力処理、
を有するデータストリームを符号化する方法。
【請求項２】
前記所定のパケット長が、前記データストリーム中の２個のマーカの間の距離として決定され、当該２個のマーカ中の少なくとも１個が、パケット開始を指示する請求項１に記載の方法。
【請求項３】
前記それぞれの予め定められたパーセンテ―ジが、前記パケットの１番目のパーティションが少なくとも１番目の元のパケットパーティションを有するように決定される請求項１に記載の方法。
【請求項４】
前記それぞれの予め定められたパーセンテージが、前記パケットの前記１番目のパーティションと前記パケットの２番目のパーティションとの和が、少なくとも前記１番目の元のパケットパーティションと２番目の元のパケットパーティションとを有するように決定される請求項３に記載の方法。
【請求項５】
所定のパケット長を持つ、少なくとも１個のパケットを有するデータストリームを復号化する方法であり、前記少なくとも１個のパケットのそれぞれのパーティションが、異なる誤り保護率により符号化されていて、前記それぞれのパーティションのそれぞれの長さが、前記パケット長にそれぞれの予め定められたパーセンテージを掛けることによって決定される、データストリームを復号化する方法であって、
前記それぞれのパケットパーティションを前記異なる誤り保護率で復号化する復号化処理、および、
前記異なる誤り保護率で復号化された前記それぞれのパケットパーティションを持つ前記データストリームを出力する出力処理、
を有するデータストリームを復号化する方法。
【請求項６】
前記データストリームが、所定のパケット長を持つ、少なくとも１個のパケットを有するデータストリームを符号化するための符号器であって、
前記少なくとも１個のパケットのそれぞれのパーティションを、異なる誤り保護率で符号化するための符号化手段であって、前記それぞれのパーティションのそれぞれの長さが、前記パケット長または前記パケット長の一部にそれぞれの予め定められたパーセンテージを掛けることによって決定される符号化手段、および、
前記異なる誤り保護率で符号化された前記少なくとも１個のパケットの前記それぞれのパーティションを持つ前記データストリームを出力するための出力手段、
を有する符号器。
【請求項７】
所定のパケット長を持つ、少なくとも１個のパケットを有する受信されたデータストリームを復号化するための復号器であり、前記少なくとも１個のパケットのそれぞれのパーティションが、異なる誤り保護率で符号化されていて、前記それぞれのパーティションのそれぞれの長さが、前記パケット長または前記パケット長の一部のそれぞれに予め定められたパーセンテージを掛けることによって決定される、復号器であって、
前記それぞれのパケットパーティションを前記異なる誤り保護率で復号化する復号化手段、および、
前記異なる誤り保護率で復号化された前記それぞれのパケットパーティションを持つ前記データストリームを出力する出力手段、
を有する復号器。
【請求項８】
データストリームを送信するための送信機であって、
請求項６による符号器、および、
前記データストリームを送信するためのアンテナ手段、を有する送信機。
【請求項９】
データストリームを受信するための受信機であって、
前記データストリームを受信するためのアンテナ手段、および、
請求項７に請求されている復号器、を有する受信機。
【発明の詳細な説明】
【０００１】
【発明の属する技術分野】
本発明は、データストリームの符号化に関する。
【０００２】
本発明は、さらに、データストリームの送信および受信に関する。
【０００３】
【従来の技術】
このようなデータストリームの符号化は、M. Budagavi, W. Rabiner Heinzelman, J. Webb, R. Talluri, “Wireless MPEG-4 Video Communication on DSP Chips”, IEEE Signal Processing Magazine, January 2000の論文に言及されている。この論文には、圧縮されたビットストリームの耐性をより強くするために、MPEG-4ビデオ圧縮標準が、そのシンプルプロファイルにおいて、いくつかの誤り回復手段を取り入れて、誤りの検出・抑制・隠蔽（耐性）を可能にすることが、開示されている。これらは、ビット誤りが10-3以下の率で発生するときには、ビット誤りと戦うための強力な情報源符号化法である。しかしながら、今日の無線通信路においては、ビット誤り率(BER)がそれより高くなる場合がある。モバイル無線通信路における過酷な状態は、送信機と受信機の間の空間移動、および周囲地形の変化によるマルチパスフェージングが原因で発生する。マルチパスフェージングは、長いバーストエラーとなって現れる。したがって、インターリービングおよび通信路符号化のいくつかの手法が、通信路状態を改善するために必要とされる。情報源符号化と通信路符号化とを組み合わせて用いることによって、MPEG-4 シンプルプロファイルビデオ圧縮を用いて、誤りが発生しやすい無線通信路上で、容認可能なビジュアル品質を達成することが可能となる。MPEG-4圧縮ビットストリームの構造は、また、ビットストリームの重要部分に誤りがほとんど生じないことを確実にするために、情報源・通信路結合符号化の一手法である不均一誤り保護(UEP)を用いるのにも向いている。
【０００４】
【課題を解決するための手段】
本発明の1つの目的は、改良されたデータ送信を提供することである。この目的のために、本発明は、独立請求項に定められているような符号化、復号化、送信、受信、データストリーム、および蓄積媒体を提供する。好適な実施例が、従属項に既定されている。
【０００５】
本発明は、とりわけMPEG-4ビデオの無線送信の分野において好適である。本発明者等は、使用される符号化が可変長であり、かつ、各パケットが持つマクロブロックが整数個である必要があるため、MPEG-4パケットが完全には同じ長さではなく、かつパケットが異なればパーティションの長さも異なるということを認識した。このことは、固定UEP構造は使用することができず、かつ正しい符号化率で復号化を行なうためには、通信路復号化段階において、ビットストリーム構造が、受信機によって知られていなければならないということを意味する。パーティションと同様、パケットも、長さは同じではない。したがって、UEP構造は、各パケットごとに、動的に変えなければならず、そして、パーティションの長さを知ることが要求される。本発明は、可変長のパケットおよびパーティションに対するUEPを提供する。
【０００６】
本発明の第1の観点によれば、前記データストリームの少なくとも1個のパケットのそれぞれのパーティションが、異なる誤り保護率で符号化されており、前記それぞれのパーティションのそれぞれの長さが、前記少なくとも1個のパケットまたは前記少なくとも1個のパケットの一部の長さにそれぞれの予め定められたパーセンテージを掛けることによって決定される。固定されたパーセンテージによりパーティショニングを設けることによって、可変長のパケットに対するUEPが可能となる。
【０００７】
最も実際的な実施例においては、1個のパケット全体内の全てのパーティションの長さが、そのパケット長のパーセンテージによって決定される。しかしながら、いくつかのパーティションの長さを、固定された、予め定められた長さにより決定しても良い。この場合、残りのパーティションの長さは、そのパケット長の一部のパーセンテージによって決定することが好ましい。この「一部」は、通常、それぞれの長さが（この「一部」の）パーセンテージによって決定されるべきパーティションの長さの総和に等しい。最も実際的な実施例においては、これは、パケット長から固定長部分の和を減算したものに等しい。したがって、固定パーティション長と比例パーティション長との組み合わせが、可能となる。
【０００８】
前記所定のパケット長が、前記データストリーム中の2個のマーカの間の距離として決定され、当該2個のマーカの内の少なくとも1個が、パケット開始を指示することが、好ましい。
【０００９】
前記それぞれの予め定められたパーセンテージが、前記パケットの1番目のパーティションが少なくとも1番目の元のパケットパーティションを有するように決定されることが好ましい。1番目の元のパケットパーティションを、そのパケットのヘッダとしても良い。標準状態において、そのヘッダが、常に1番目のパーティションに含まれるように1番目のパーセンテージを選択することによって、ヘッダ全体を、好ましくはその後に続くパーティションに対するよりも高い、同じ保護率で保護することが可能となる。さらなるパーセンテージは、所定のパーティションと前のパ−ティションとの和が、それと同数の元のパーティションを含むように、決定することが、好ましい。
【００１０】
本発明の一実施例に係る復号器の場合、所定のパケット長を持つ、少なくとも1個のパケットを有するデータストリームであって、前記少なくとも1個のパケットのそれぞれのパーティションが、異なる誤り保護率で符号化されており、前記それぞれのパーティションのそれぞれの長さが、前記パケット長にそれぞれの予め定められたパーセンテージを掛けることによって決定されるデータストリームが、受信され、前記それぞれのパケットパーティションが、前記異なる誤り保護率で復号化される。
【００１１】
【発明の実施の形態】
本発明の上述のそして他の有利な観点は、以下に説明される実施例を参照して明らかになりそして解明される。
【００１２】
図は、単に、本発明を理解するために必要な構成要素を示しているにすぎない。
【００１３】
MPEG-4ビットストリームは、圧縮、そして、とりわけ予測符号化ならびに可変長符号化(VLC)を使用しているため、非常にエラーを生じ易い。R Talluri, “Error-resilient video coding in the ISO MPEG-4 standard”, IEEE Communication Magazine, vol. 36, no.6, June 1988の論文は、ISO MPEG-4標準に標準化されているビデオ符号化技術の誤り回復の観点を記述している。ノイズの多い無線通信路上で圧縮されたビデオデータの通信を可能にするために、ISO MPEG-4標準に採用されている特有の手段が、詳細に開示されている。これらの技術には、再同期ストラテジー、データパーティショニング、可逆可変長符号化、HEC(Header Extension codes)が含まれる。
【００１４】
これらの手段は、MPEG-4ビットストリームに耐性を加えることに役立つ。再同期（Resync）マーカを用いることによって、MPEG-4ビットストリームは、ほとんど同じ長さを持つパケットから構成されるようになる。これらの手段にも関わらず、MPEG-4が無線通信路により送信されるときに達成される受信品質は、依然として低い。しかしながら、誤り回復手段は、通信路符号化段階で利用されると、受信ビデオ品質をさらに改良することができる。とりわけ、データパーティショニング手段は、各パケットに収納される情報ビットを、それぞれが、通信路誤りに対して異なる感度を持つように3個のパーティションに分離することにより、不均一誤り保護(UEP)の実行に、有用に利用することができる。図1に示されるように、Iフレームに対して、パーティションは、ヘッダHIと、DC DCT係数と、DCマーカDCmによって分離されるAC DCT係数とにより構成される。Pフレームに対して、パーティションは、ヘッダHPと、動きパーティションmと、動きマーカmmによって分離されるテキスチャパーティションtpとにより構成される。
【００１５】
無線通信路とアプリケーションとの両者の特性を考慮した、適切な技術が、以下に説明される。とりわけ、通信路誤りに対するソースビットの異なる感度に関する情報が、UEPによって利用されなければならない。この技術は、誤りに対するソースビットの知覚される感度に応じて誤り保護を実行する。即ち、より感度の高いビットは、より高い保護（より低レート符号化に相当）によって保護され、より重要度の低いビットには、より低い保護（より高レート符号化に相当）が用いられる。従来の順方向誤り訂正(FEC)に比して、UEPは、情報源の特性を利用することによって、同じビットレートであれば、より高く知覚されるビデオ品質を実現する。
【００１６】
本提案の構成では、各パーティションに関連する情報の本質的重要性に応じて、3個のパーティションが、互いに異なる符号化率で保護される。ヘッダに含まれる情報は、そのパケットのその後に続く復号化にとって極めて重要であるので、これらは、強力に保護されねばならない。イントラフレームにおいては、DC係数の方が、AC係数よりも高い本質的重要性を持っている。したがって、DC係数の方が、AC係数よりも強く保護されなければならない。予測フレームに関しては、動き情報が正しく受信されれば、テキスチャ情報は部分的には再現できるので、動きデータの方が、テキスチャデータよりも強力に保護されなければならない。
【００１７】
本提案のUEP実行は、また、MPEG-4標準における異なる種類のフレーム対し異なる重要性を考慮する。イントラフレーム、予測フレーム、逆方向予測フレームが、考察される。ここで、イントラフレームは、他のフレームと独立に符号化され、そして予測フレームは、隣接フレームからの情報を利用する。
【００１８】
イントラフレームを正しく受信することは、その後の予測フレームの動き補償を実行するために極めて重要である。したがって、予測フレームは、より高い平均符号化率（即ち、より低い保護）で符号化させることが可能であるが、イントラフレームには、より低い平均通信路符号化率（即ち、より高い保護）を関係づけるべきである。図2は、上述の保護構成を線図的に示している。
【００１９】
UEPは、ビットの知覚される重要性に応じて選択される符号化率を用いて、レートコンパチブルパンクチャド畳み込み(RCPC)符号によって、実行しても良い。この場合、考察される符号は、同一の「マザー」符号のパンクチャリングによって得られる。したがって、全ビットストリームの符号化および復号化の実行には、1個の符号器および1個の復号器しか必要ではない。このようなレートコンパチブルパンクチャド畳み込み符号(RCPC符号)は、J. Hagenauer, “Rate-Compatible Punctured Convolutional Codes (RCPC Codes) and their Applications”, IEEE Trans. Commun., vol.36, no.4, pp. 389-400, April 1988によって既知である。
【００２０】
異なるフレームの保護に対しては、異なる平均符号化率が、考慮される（Iフレームは、より高い保護／より低いレートで符号化され、より低い保護／より高い平均レートが、Pフレームに対して考慮される）。さらに、各フレームに対しては、最上位のパーティションに対しより強力な保護を与えるために、MPEG-4標準に付加されているデータパーティショニング手段が利用される。フレームは、正しく受信されなかった場合には、再送信させても良い。
【００２１】
MPEG-4符号化ビットストリームは、ビデオオブジェクト(VO)、ビデオオブジェクトレイヤ(VOL)、グループオブビデオオブジェクトプレーン (GOV)、ビデオオブジェクトプレーン (VOP)、および、パケットで構成される。同期を取るために、ビットストリームの各部の開始は、適切な開始符合で表示される。開始符合は、MPEG4に定められた任意の一連の可変長符号化されたワードとして識別可能な固有のワードである。H1はVO、H2はVOL、H3はGOV、H4はVOPの開始符合を表し、H5はパケット開始符合（再同期）を表す。
【００２２】
ここで、1つの主要な問題は、可変長符号化が使用され、かつ、各パケットが持つマクロブロックが整数個であることが要求されるため、MPEG-4パケットが完全には同じ長さにならず、かつパケットが異なればパーティションが異なる長さを持つということである。このことは、固定UEP構成を用いることが出来ず、かつ正しい符号化率で復号化を実行するためには、通信路復号化段階で、受信機側にビットストリーム構造が知られていなければならないということを意味する。パーティションと同様に、パケットも、同じ長さではない。したがって、UEP構成は、各パケットごとに動的に変えなければならず、かつパーティションの長さが知られていることが、必要である。この問題に関して、UEPを実行するための1つの解決法、即ち、比例UEP(Proportional UEP)が提案される。
【００２３】
比例不均一誤り保護(P-UEP)
図６は、比例不均一誤り保護の構造を示している。各フィールドの長さが受信機側に知られていないので、パケットの（可変）長さを考慮して、比例構造が用いられる。パケット長は、2つの適切な開始符合（少なくとも、その1つはパケット開始符合である）を受信することによって確定させることが好ましい。パケットバッファを満たすために、このような構造によって、1つのパケットの遅延が導入される。ビットストリームの特性を考慮して、各パーティションに対するパーセンテージ長さが、選択される。パーセンテージ長さP1, P2, P3の3個のパーティションが、それぞれ、レートR1, R2, R3で保護されているとすると、Iパケットに対する平均のレートは、
【式１】
0004659331.tif 000002
で与えられ、同様に、Pパケットに対しては、
【式２】
0004659331.tif 000003
で与えられる。したがって、符号化されたパケットの長さは、Iフレームに対して、
【式３】
0004659331.tif 000004
のようになり、Pフレームに対して、
【式４】
0004659331.tif 000005
となる。ここで、畳み込み符号を考える場合、Mは、符号のメモリ数である。符号のメモリ数Mについて言えば、畳み込み符号は、次の点で、ブロック符号と異なる。つまり、符号器がメモリを有し、かつ任意の時間ユニットにおける符号器の出力が、その時間ユニットにおける入力に依存するのみならず、M（Mは、符号のメモリ数）個前の入力ブロックにも依存する点である。メモリ数Mの畳み込み符号器は、M段のシフトレジスタから成っており、選択された段の出力がmodulo-2加算されて、符号化されたシンボルが生成される。畳み込み符号器は、逐次回路であるので、その動作は、状態ダイヤグラムで記述することが出来る。符号器の状態は、このシフトレジスタ状態として定義される。したがって、符号器は、2M状態を持っていても良い。他のビットと同じ強さを持つビットストリームの終端のビットを保護するために、符号器が既知の状態（通常は“0”状態）に収束するように、M個のテールビットを、このビットストリームに付加しなければならない。実際、畳み込み符号が考察されると、トレリスの適切な終端処理が可能となるように、パケットは、M個の“0”ビットをシフトレジスタにシフトさせることにより終端される。テールビットは、より高いレートで符号化される。総合平均レートを計算するために、IフレームとPフレームとの平均を計算しなければならず、かつ開始符合置き換えによって導入されるオーバーヘッドも考察しなければならない。
【００２４】
本発明のこの観点は、可変パケット長のそれぞれの予め定められたパーセンテージを、それぞれのパケットパーティションとして取り込むものである。このパーセンテージは、データストリームの特性を考慮して、パケットの1番目のパーティションが、少なくとも1番目の元のパケットパーティション（例えば、ヘッダ）を有し、かつ、1番目と2番目のパーティションの合計が、少なくとも1番目の元のパケットパーティションと2番目の元のパケットパーティションとを有し、と言うように決定されることが好ましい。
【００２５】
第2の主要な問題点は、開始符合における1つの誤りでも、その検出が失敗し、同期が失われてしまうことの原因になることがあると言う、MPEG-4開始符合が、誤りに対して強くないという点である。これらの問題に対処するために、本発明は、いくつかの好適な解決法を提案する。誤りが発生すると、失敗した検出と開始符合のエミュレーションが可能となる。この問題を解決するために、開始符合置き換えが提案される。
【００２６】
開始符合置き換え
さらなる実施例の場合、開始符合は、MPEG-4符号化の後、高い相関性を持つシーケンス（例えば、Gold sequence）である擬似ノイズワードにより置き換えられる（図３参照）。これらの新規の開始符合は、「無線開始符合」(Wireless Start Codes)と呼ばれる。とりわけ、置き換えは、VO, VOL, VOP, GOVの開始符合および「再同期」マーカに対して行われる。図3は、マーカH1,…,H5を有する、符号化されたデータストリームSを示している。これらのマーカが、通信路誤りに対してより高い耐性を持つマーカWH1,…,WH5により置き換えられ、無線送信に適するデータストリームWSが得られる。データストリームWSは、受信機において、WSに類似するが通信路誤りを含んでいても良いデータストリームRSとして受信される。マーカWH1,…,WH5は、WH1R,…,WH5Rとして受信される。マーカ（ワード）WH1R,…,WH5Rは、WH1,…,WH5に類似しているが通信路誤りを含む可能性がある。これらのマーカは、高い相関性を持っているので、これらは、WH1,…,WH5であると認識され、その後、それぞれ、H1,…,H5に類似のマーカにより置き換えられる。MPEG-4ビットストリームであることを考えれば、図3のデータストリームに、GOV開始符合(H3)は含まれない。MPEG-4ビットストリームの場合、VOL開始符合(H2)は、GOVの開始も示しているので、VOL開始符合(H2)の後にGOV開始符合(H3)は存在しない。
【００２７】
受信機側においては、これらの無線開始符合WH1,…,WH5の位置が、通信路復号化処理に先だって、相関によって推定される。開始符合を失う確率と、開始符合のエミュレーションの確率との間で、トレードオフがなされなければならない。したがって、「無線開始符合」長と相関に対する適切な閾値の選択が、しかるべく実行される。検出が実行されると、無線開始符合WH1,…,WH5は、開始符合の元のセットからの、対応する開始符合H1,…,H5により置き換えられる。上述の置き換えは、このように、MPEG-4復号器に対し透明である（図5参照）。
【００２８】
通信路符号化段階において、本発明に係る好適な一実施例、比例不均一誤り保護(P-UEP)と組み合わせた開始符号置き換えが提案される。
【００２９】
この好適な実施例を、VOPとフレームとが一致する単純化された場合について説明する。図4および図5において、破線は、制御ラインを示している。
【００３０】
図4は、本発明に係る送信機を示している。この送信機は、開始符号H1,…,H5を検出するための開始符号検出器12を有している。検出された開始符号は、擬似ノイズワード発生器13によって、対応する擬似ノイズワードWH1,…,WH5に置き換えられる。擬似ノイズワードWH1,…,WH5は、マルチプレクサ14に供給され、そこで送信されるデータストリームWSに擬似ノイズワードが加えられる。
【００３１】
パケットバッファ10は、データストリームSを受け取る。マーカH1,…,H5の間に存在するデータストリームSのパケットが、通信路符号器11によって通信路符号化されて、通信路符号化パケットが得られる。これらの通信路符号化パケットは、マルチプレクサに供給され、送信されるデータストリームWSに加えられる。送信されたデータストリームは、例えば、無線送信のためのアンテナまたは蓄積媒体15に供給される。
【００３２】
図4の通信路符号化を、上述のようにP-UEPを用いて実行することは、好ましいが、これに代えて、他の通信路符号化機構を用いてもよい。
【００３３】
図5は、図4による送信機によって送信されてきたデータストリームWSを受信するための受信機3を示している。開始符合検出器32（例えば、実際上は、擬似ノイズワード検出器）において、開始符合を示す擬似ノイズワードを検出するために、（マーカに対応する、擬似ノイズワードの予め定められたセットからの）各許容擬似ノイズワードと、関連するビットストリーム部との間で、相関評価が実行される。相関は、対応する閾値thと比較される。擬似ノイズワードが検出されると、ビットストリーム中のビット識別子が、適切な数のビットをシフトさせ、そして対応するMPEG-4開始符合H1,…,H5が、開始符合発生器33によって供給される。この開始符合は、その機能が、ビットストリームS'をMPEG-4復号器に提供されるように配列することであるマルチプレクサ34に、挿入される。GOV開始符合またはVOP開始符合が検出されると、VOP識別子は、そのステータスを変える。
【００３４】
「再同期」マーカが検出されると、パケットバッファ30は初期化され、そして次の開始符合が検出されるまで、そのバッファは続くビットにより満たされる。バッファにN（Nは、1個のパケットの最小長さ）個のビットが収納されるまで、相関評価は実行されない。次の開始符合が検出されるとき、バッファ30は、1つのパケットを含んでいる。このとき、通信路復号化が、VOP識別子情報およびパーセンテージにしたがって、通信路復号器31のバッファ内のビットに実行される。この構成に用いられるレートは、固定で、かつ通信路符号器11に用いられるそれと同一であることが好ましい。可変レートが用いられる場合には、そのレートは、送信機1の通信路符号器11から受信しなければならない。通信路復号化されたパケットは、ビットストリームをMPEG-4復号器に供給されるように配列するマルチプレクサ34に、挿入される。RCPC符号が用いられる場合には、復号化に先だって、デ・パンクチャリングが実行されることに注意されたい。この場合、パケットは、次いで、マザー符号化レートにより復号化される。
【００３５】
図4および図5には示されていないが、データストリームを、送信に先だって、送信機内の変調器によって変調し、そして、復号化を実行する前に、復調器によって受信機内で復調させてもよい。
【００３６】
上述の実施例は、本発明を例証するためのものであって、本発明を制限するものではなく、また、当業者が、記載されている請求項の範囲から逸脱することなく、多数の他の実施例を設計することが可能であることに注意されたい。請求項において、括弧の中の参照番号はいずれも、請求項を制限するものとして解釈されるべきではない。用語「有する」は、請求項中に挙げられている以外の要素または処理の存在を排除するものではない。本発明は、いくつかの個別の要素を有するハードウェアによって実行することもできるし、適切にプログラムされたコンピュータによって実行することもできる。幾つかの手段を挙げているデバイス請求項において、それらの手段の幾つかは、一つのかつ同一のハードウェアによって実施させることができる。いくつかの方策が互いに異なる従属請求項に挙げられているという事実が、それらの方策を組み合わせて使用することが有効ではないと言うことを、意味することにはならない。
【００３７】
要約すると、データストリームの符号化において、前記データストリームが、所定のパケット長を持つ、少なくとも1個のパケットを有し、かつ、前記少なくとも1個のパケットのそれぞれのパーティションが、異なる誤り保護率で符号化されており、前記それぞれのパーティションの前記それぞれの長さが、前記パケット長または前記パケット長の一部にそれぞれの予め定められたパーセンテージを掛けることによって決定される符号化が、提供される。
【図面の簡単な説明】
【図１】MPEG-4ビットストリームのデータパーティショニングを示す。
【図２】本発明の一実施例に係る保護構造の線図的な表示を示す。
【図３】本発明の一実施例に係る開始符合置き換えおよび（比例）不均一誤り保護を示す。
【図４】本発明の一実施例に係る送信機であって、開始符合検出手段および開始符合置き換え手段を有する送信機を示す。
【図５】本発明の一実施例に係る受信機であって、置き換え開始符合検出手段および置き換え開始符合復元手段を有する受信機を示す。
【図６】本発明の一実施例に係る比例不均一誤り保護を示す。
【符号の説明】
1  送信機
3  受信機
10  パケットバッファ
11  通信路符号器
12  開始符合検出器
13  擬似ノイズワード発生器
14  マルチプレクサ
15  アンテナまたは蓄積媒体
30  パケットバッファ
31  通信路復号器
32  開始符合検出器（擬似ノイズワード検出器）
33  開始符合発生器
34  マルチプレクサ
H1, H2, H3, H4, H5, WH1, WH2, WH3, WH4, WH5, WH1R, WH2R, WH4R, WH5R  マーカ（開始符合）
S, RS, WS  データストリーム
【図１】
0004659331.tif 000006
【図２】
0004659331.tif 000007
【図３】
0004659331.tif 000008
【図４】
0004659331.tif 000009
【図５】
0004659331.tif 000010
【図６】
0004659331.tif 000011